(57)【要約】【課題】半導体装置を内蔵した電子制御装置において、熱疲労寿命が低下することを防止する。【解決手段】モータを制御する制御部は半導体装置を有し、半導体装置は、複数の第１の電極３を有する半導体パッケージ２と、複数の第１の電極３のそれぞれに対応するように配置された複数の第２の電極４ａ、４ｂを有する配線基板１と、第１の電極３と第２の電極４ａ、４ｂとを接続するはんだ接合部５ａ、５ｂとを有し、配線基板１の最外周角部に配置された第２の電極４ａの先端部は半導体パッケージ２の外周端部よりも外側に位置する。【選択図】図１
2019071345.tif 000002
【特許請求の範囲】
【請求項１】
モータを制御する制御部を備えた電子制御装置であって、
前記制御部は、半導体装置を有し、
前記半導体装置は、
複数の第１の電極を有する半導体パッケージと、
前記複数の第１の電極のそれぞれに対応するように配置された複数の第２の電極を有する配線基板と、
前記第１の電極と前記第２の電極とを接続するはんだ接合部と、を有し、
前記配線基板の最外周角部に配置された前記第２の電極の先端部は、前記半導体パッケージの外周端部よりも外側に位置することを特徴とする電子制御装置。
【請求項２】
前記配線基板の前記最外周角部に配置された前記はんだ接合部の先端部は、前記半導体パッケージの外周端部よりも外側に位置することを特徴とする請求項１に記載の電子制御装置。
【請求項３】
前記配線基板の最外周角部に配置された前記第２の電極の面積は、前記半導体パッケージの最外周角部に配置された前記第１の電極の面積よりも大きいことを特徴とする請求項２に記載の電子制御装置。
【請求項４】
前記配線基板の最外周角部に配置された前記第２の電極の面積は、前記配線基板の最外周角部以外に配置された前記第２の電極の面積よりも大きいことを特徴とする請求項３に記載の電子制御装置。
【請求項５】
前記配線基板の最外周角部に配置された前記第２の電極の中心は、前記半導体パッケージの最外周角部に配置された前記第１の電極の中心よりも、前記半導体パッケージの中心から外側に向かう方向にずれていることを特徴とする請求項４に記載の電子制御装置。
【請求項６】
前記配線基板の最外周角部に配置された前記はんだ接合部の形状は、前記配線基板の最外周角部以外に配置された前記はんだ接合部の形状とは異なることを特徴とする請求項１に記載の電子制御装置。
【請求項７】
前記配線基板の最外周角部に配置された前記はんだ接合部は、前記半導体パッケージの外周端部よりも外側に延伸したフィレット形状を有することを特徴とする請求項６に記載の電子制御装置。
【請求項８】
前記配線基板の最外周角部に配置された前記第２の電極は、前記最外周角部の対角線上に配置されていることを特徴とする請求項１に記載の電子制御装置。
【請求項９】
前記配線基板の最外周角部に配置された前記第２の電極は、前記半導体パッケージの対向する辺の垂直方向の延長線上に引き出されていることを特徴とする請求項１に記載の電子制御装置。
【請求項１０】
前記配線基板の最外周角部に配置された前記はんだ接合部の組成は、前記配線基板の最外周角部以外に配置された前記はんだ接合部の組成とは異なり、
前記配線基板の最外周角部に配置された前記はんだ接合部は、Ｂｉ、Ｉｎ及びＳｂの内の少なくとも一つの元素を含み、
前記最外周角部に配置された前記はんだ接合部の前記元素の濃度は、前記配線基板の最外周角部以外に配置された前記はんだ接合部に含まれるＢｉ、Ｉｎ、Ｓｂの内の少なくとも一つの元素の濃度よりも高いことを特徴とする請求項１に記載の電子制御装置。
【請求項１１】
前記制御部の前記半導体装置は、車載向けの電子機器に搭載されていることを特徴とする請求項１に記載の電子制御装置。
【請求項１２】
前記配線基板と前記半導体パッケージは、線膨張係数がそれぞれ異なり、
前記車載向けの電子機器においては、高温と低温が繰り返される環境下で前記配線基板と前記半導体パッケージの反り量がそれぞれ異なり、
前記配線基板の最外周角部に配置された前記はんだ接合部にかかる負荷は、前記配線基板の最外周角部以外に配置された前記はんだ接合部にかかる負荷よりも大きいことを特徴とする請求項１１に記載の電子制御装置。
【発明の詳細な説明】
【技術分野】
【０００１】
本発明は、電子制御装置に関する。
【背景技術】
【０００２】
近年、電子機器の小型化、高密度化及び高機能化に伴い、半導体装置にも小型化及び高密度化が要求されている。このため、半導体装置として、ＢＧＡ（Ｂａｌｌ  Ｇｒｉｄ  Ａｒｒａｙ）やＣＳＰ（Ｃｈｉｐ  Ｓｉｚｅ  Ｐａｃｋａｇｅ）のようなエリアアレイ型のパッケージ型半導体装置が多く利用されている。
【０００３】
エリアアレイ型のパッケージ型半導体装置は、裏面に電極及びはんだボールが一定のサイズ、面積及びピッチで形成されている。これらの電極及びはんだボールに対応するように配線基板の電極も一定のサイズ、面積及びピッチで形成されている。そして、配線基板にパッケージ型半導体装置を搭載して加熱することによりはんだバンプを形成して対応する電極同士が接合される。
【０００４】
例えば、特許文献１には、ＢＧＡパッケージと配線基板との接続において、配線基板の最外周電極のうち、最もアレイ状配列の外側に位置する端部が、ＢＧＡパッケージ側の最外周電極のうち、最もアレイ状配列の外側に位置する端部よりもアレイ状配列の外側に位置し、配線基板の電極表面とはんだバンプ表面とがなす角度を鋭角にする構造が開示されている。
【先行技術文献】
【特許文献】
【０００５】
【特許文献１】特開２０００−１１４３１５号公報
【発明の概要】
【発明が解決しようとする課題】
【０００６】
エリアアレイ型のパッケージ型半導体装置は、各構成部材の線膨張係数の違いにより温度負荷時に変形し、最外周のはんだバンプに応力がかかる。  
特に、ＢＧＡパッケージの最外周角部のはんだバンプへの負荷が大きく、これらのはんだバンプにおいて、亀裂伸展がとりわけはんだバンプ上側の電極との界面で顕著に起こり熱疲労寿命が低下する。
【０００７】
具体的には、エリアアレイ型パッケージをはんだバンプを介して配線基板に接続する半導体装置においては、使用環境下での温度変化により半導体装置全体が変形する。しかし、それぞれの構成部材は線膨張係数の違いにより反り量がそれぞれ異なり、エリアアレイ型パッケージと配線基板間のはんだバンプに亀裂伸展が起こる。特に、エリアアレイ型パッケージの最外周角部のはんだバンプが壊れやすく、熱疲労寿命が低下して半導体装置の信頼性が低下する。
【０００８】
特許文献１には、外部衝撃時における最外周はんだバンプにかかる応力を緩和することについては言及されている。しかし、構成部材の線膨張係数の違いにより反り量がそれぞれ異なり、これが原因で熱疲労寿命に影響を与えることについては考慮されていない。
【０００９】
本発明の目的は、半導体装置を内蔵した電子制御装置において、熱疲労寿命が低下することを防止することにある。
【課題を解決するための手段】
【００１０】
本発明の一態様の電子制御装置は、モータを制御する制御部を備え、前記制御部は半導体装置を有し、前記半導体装置は、複数の第１の電極を有する半導体パッケージと、前記複数の第１の電極のそれぞれに対応するように配置された複数の第２の電極を有する配線基板と、前記第１の電極と前記第２の電極とを接続するはんだ接合部とを有し、前記配線基板の最外周角部に配置された前記第２の電極の先端部は、前記半導体パッケージの外周端部よりも外側に位置することを特徴とする。
【発明の効果】
【００１１】
本発明の一態様によれば、半導体装置を内蔵した電子制御装置において、熱疲労寿命が低下することを防止することにある。
【図面の簡単な説明】
【００１２】
【図１】実施例１の半導体装置の断面図である。
【図２】実施例１の半導体装置の平面図である。
【図３】実施例１の半導体装置の製造工程を示す断面図である。
【図４】実施例２の半導体装置の平面図である。
【図５】実施例２の半導体装置の平面図である。
【図６】実施例３の半導体装置の平面図である。
【図７】実施例４の電子制御装置のブロック図である。
【図８】実施例４の電子制御装置に搭載された半導体装置の断面図である。
【発明を実施するための形態】
【００１３】
エリアアレイ型のパッケージ型半導体装置（半導体パッケージ）の電極及びはんだボールは、パッケージメーカによりあらかじめ形成されており、はんだボールの組成は、Ｓｎ−３．０Ａｇ−０．５Ｃｕが一般的である。
【００１４】
はんだバンプは、サイズ及びピッチを小さくすることで、一定面積内に多数配置することが可能であり、小型化及び高密度化に有利である。また、リードを介して接続する構造よりも配線長が短いため、高速伝送に有利であり高性能化を達成できる。
【００１５】
エリアアレイ型のパッケージ型半導体装置のＢＧＡパッケージは、半導体素子であるＳｉチップが、例えばワイヤでインターポーザに接続されている。インターポーザの裏面には、電極及びはんだボールが形成され、インターポーザ上を樹脂でモールドした構造を有する。これを配線基板にはんだバンプを介して接続するが、各構成部材の線膨張係数の違いにより、温度負荷時に変形し、ＢＧＡパッケージの最外周のはんだバンプに応力がかかる。
【００１６】
特に、ＢＧＡパッケージの最外周角部のはんだバンプへの負荷が大きく、これらのはんだバンプにおいて、亀裂伸展がとりわけはんだバンプ上側の電極との界面で顕著に起こり、熱疲労寿命が低下する要因となる。
【００１７】
以下の実施例では、エリアアレイ型パッケージをはんだバンプを介して配線基板に接続する半導体装置において、最外周角部のはんだバンプにかかる応力を低減して熱疲労寿命が低下するのを防止する。  
以下、図面を参照して実施例について説明する。
【実施例１】
【００１８】
図１〜図３を参照して、実施例１の半導体装置について説明する。  
図１に示すように、半導体装置は、配線基板１と半導体パッケージ（エリアアレイ型パッケージ）２を有する。配線基板１は、上面に複数の電極４を有する。半導体パッケージ２は、下面に複数の電極３を有する。半導体パッケージ２は、複数の電極４との複数の電極３とを接続するはんだ接合部（バンプ）５を介して配線基板１に対向して実装される。
【００１９】
配線基板１の上面に形成される電極４のうち、最外周角部以外の電極４ｂは、半導体パッケージ２の下面に備える電極３に対向するように一様に形成されている。最外周角部以外のはんだ接合部５ｂは太鼓型のバンプ形状を有する。最外周角部に配置されたはんだ接合部５ａは、半導体パッケージ２の外周端部よりも外側に延伸したフィレット形状を有する。
【００２０】
最外周角部の４つの電極４ａの先端部は、半導体パッケージ２の外周端部よりも外側に位置している。そのため、最外周角部のはんだ接合部５ａの先端部も、半導体パッケージ２の外周端部よりも外側に位置している。
【００２１】
図２に示すように、配線基板１の上に半導体パッケージ２が実装されている。最外周角部以外の配線基板上の電極４ｂは、半導体パッケージ２の下面に設けられた電極３に対応するように円形形状で配置される。電極４ｂのサイズは、電極３と同一でも良いし、生産上の観点から同一でなくても良く、適宜設計されれば良い。  
図２に示すように、最外周角部の配線基板１上の電極４ａの形状を、半導体パッケージ２の内側に入る端部を円形とし、半導体パッケージ２の外側に出る端部の形状に角を持たせている。しかし、この形状に限定されるものではなく、最外周角部の配線基板１上の電極４ａの先端部が半導体パッケージ２の外周に出ていればよく、半導体パッケージ２の外側に出る端部も円形とし、電極４ａの形状を楕円とすることも可能である。
【００２２】
このように、実施例１の半導体装置は、配線基板１の最外周角部に配置された電極４ａの先端部は、半導体パッケージ２の外周端部よりも外側に位置する。さらに、配線基板１の最外周角部に配置されたはんだ接合部５ａの先端部も、半導体パッケージ２の外周端部よりも外側に位置する。
【００２３】
さらに、配線基板１の最外周角部に配置された電極４ａの面積は、半導体パッケージ２の最外周角部に配置された電極３の面積よりも大きい。さらに、配線基板１の最外周角部に配置された電極４ａの面積は、配線基板１の最外周角部以外に配置された電極４ｂの面積よりも大きい。
【００２４】
さらに、図２に示すように、配線基板１の最外周角部に配置された電極４ａの中心９ｂは、半導体パッケージ２の最外周角部に配置された電極３の中心９ａよりも、半導体パッケージ２の中心から外側に向かう方向にずれている。
【００２５】
また、配線基板１の最外周角部に配置されたはんだ接合部５ａの形状は、配線基板１の最外周角部以外に配置されたはんだ接合部５ｂの形状とは異なる。具体的には、配線基板１の最外周角部に配置されたはんだ接合部５ａは、半導体パッケージ２の外周端部よりも外側に延伸したフィレット形状を有する。配線基板１の最外周角部以外に配置されたはんだ接合部５ｂは、太鼓型の形状を有する。  
また、図２に示すように、配線基板１の最外周角部に配置された電極４ａは、最外周角部の対角線上に配置されている。
【００２６】
次に、図３を参照して、実施例１の半導体装置の製造工程について説明する。  
まず、配線基板１の上に複数の電極４を形成する（図３（１）参照）。ここで、配線基板１は、その上面に電極４を有する。電極４は、最外周角部の電極４ａとそれ以外の電極４ｂとは異なる面積を有し、電極４ａの面積は電極４ｂの面積より大きい。
【００２７】
次に、配線基板１上の電極４に迎えはんだ６を形成する（図３（２）参照）。この際、迎えはんだ６は、印刷により形成しても良いし、ディスペンサーで塗布しても良く、その形成手法はこれらに限定されるものではない。迎えはんだ６の組成は、半導体パッケージ２にあらかじめ形成されているはんだボール７と同一でも良いし、異なっていても良い。配線基板１に搭載される半導体パッケージ２以外の電子部品の接合性、生産性及び信頼性の観点から総合的に判断される。
【００２８】
迎えはんだ６の形成箇所に、搭載機（図示せず）を用いて半導体パッケージ２を搭載する。そして、半導体パッケージ２の最外周角部にあたる配線基板１上の電極４ａには、Ｂｉ、Ｉｎ、Ｓｂのいずれかもしくは複数の元素を含む金属片８を搭載する（図３（３）参照）。この際、金属片８も搭載機にてリール搭載できるチップ型はんだ形状を有することが生産性の観点で望ましい。
【００２９】
電極４ａに搭載する金属片８の体積は、半導体パッケージ２に備えられたはんだボール７の体積及び電極４ａの面積から算出して決定される。なお、金属片８を搭載した後に、半導体パッケージ２を搭載しても良く、その搭載順は適宜決定される。
【００３０】
次に、半導体パッケージ２と、金属片８が搭載された配線基板１とをリフロー炉（図示せず）を用いて加熱し、はんだボール７と迎えはんだ６及び金属片８を溶融させる。その後、冷却することにより半導体パッケージ２と配線基板１が接合される（図３（４）参照）。この際、半導体パッケージ２の最外周角部のはんだ接合部５ａとそれ以外のはんだ接合部５ｂは、はんだ接合部の金属組成が異なる。具体的には、最外周角部のはんだ接合部５ａは、Ｂｉ、Ｉｎ、Ｓｂの少なくとも何れか一つの元素の濃度は、はんだ接合部５ｂよりも高くなる。ここで、Ｂｉ、Ｉｎ、Ｓｂは、熱疲労寿命を向上させる元素である。半導体パッケージ２の最外周角部のはんだ接合部５ａは、それ以外のはんだ接合部５ｂの組成と異なり、簡便に長寿命組成に変更することができる。このようにして、図１に示す半導体装置が完成する。
【００３１】
実施例１では、Ｂｉ、Ｉｎ、Ｓｂのいずれかもしくは複数の元素を含む金属片８を溶融させることにより、Ｂｉ、Ｉｎ、Ｓｂのいずれかもしくは複数の金属が、主組成がＳｎＡｇＣｕである半導体パッケージ２の最外周角部のはんだ接合部５ａのみに拡散する。これにより、熱疲労寿命を長寿命化できる。
【００３２】
また、実施例１では、金属片８を溶融させることにより、容易に最外周角部のはんだ接合部５ａの体積を増大させることができる。これにより、最外周角部のはんだ接合部５ａがフィレット形状になることで応力のかかり方が変わり、クラック進展を抑制できる。この結果、半導体パッケージ２の最外周角部のはんだ接合部５ａの応力が低減し、半導体パッケージ２を実装する際の信頼性を向上させることができる。
【００３３】
さらに、実施例１では、半導体パッケージ２のはんだボール７自体のはんだ組成を変更することなく、最外周角部のはんだ接合部５ａのはんだ組成を変更可能である。この結果、市販品の半導体パッケージ２を利用できるため、製造コストを削減することができる。
【００３４】
ここで、はんだ接合部５の組成が一般的なＳｎ−３Ａｇ−０．５ＣｕであるモデルＡと、はんだ接合部５ａの組成がＳｎ−３Ａｇ−３Ｂｉ−３Ｉｎであり、はんだ接合部５ｂの組成がＳｎ−３Ａｇ−０．５ＣｕであるモデルＢの２パターンにおいて熱応力解析を実施した。
【００３５】
ここで、モデルＡは、配線基板１上に形成される電極４ａと電極４ｂの面積が同一で、半導体パッケージ２の最外周角部のはんだ接合部５ａとそれ以外のはんだ接合部５ｂの形状が同一のバンプ形状を有る構造において、はんだ接合部５の組成が一般的なＳｎ−３Ａｇ−０．５Ｃｕである。一方、モデルＢは、電極４ａの先端部を半導体パッケージ２の外周端部よりも外側にし、最外周角部のはんだ接合部５ａをフィレット形状とした構造において、そのはんだ接合部５ａの組成がＳｎ−３Ａｇ−３Ｂｉ−３Ｉｎであり、はんだ接合部５ｂの組成がＳｎ−３Ａｇ−０．５Ｃｕである。電極４ａのサイズ及び最外周角部のはんだ接合部５ａの形状及び組成以外は、モデルＡ、モデルＢともに全て同一である。
【００３６】
モデルＡ、モデルＢに対して、−４０℃と１２５℃を繰り返す温度サイクル試験を模擬した熱負荷を与えた解析結果において、モデルＢの最外周角部のはんだ接合部５ａの熱疲労寿命は、モデルＡの最外周角部のはんだ接合部５ａの熱疲労寿命に比べて１．９倍となった。この熱応力解析の結果からも、実施例１では、熱疲労寿命が向上することが分かる。
【実施例２】
【００３７】
図４、図５を参照して、実施例２の半導体装置について説明する。  
図２に示す実施例１の半導体装置では、半導体パッケージ２の最外周角部に対応する配線電極１の電極４ａは、角の対角線上に配置されている。これに対して、図４に示す実施例２の半導体装置では、半導体パッケージ２の最外周角部に対応する配線電極１の電極４ａは、半導体パッケージ２の対向する辺の垂直方向の延長線上に引き出されている。この場合、最外周角部のはんだ接合部５ａは、半導体パッケージ２の対向する辺の垂直方向に長辺があるフィレット形状となる。
【００３８】
また、図５に示すように、最外周角部の電極４ａに加えて、半導体パッケージ２の対向する辺の最外周の電極４ｃの外側端部を半導体パッケージ２の外周外側に出し、半導体パッケージ２の対向する辺の最外周にあるはんだ接合部をフィレット形状とする。
【００３９】
図４、図５において、フィレット形状となる半導体パッケージ２の対向する辺の最外周のはんだ接合部５ａの組成は、それ以外のはんだ接合部５ｂよりもＢｉ、Ｉｎ、Ｓｂの少なくとも何れか一つの元素の濃度が高くなっている。
【００４０】
それ以外の構成については、実施例１の半導体装置と同様なのでその説明は省略する。
【実施例３】
【００４１】
図６を参照して、実施例３の半導体装置について説明する。  
図６に示すように、実施例３の半導体装置は、半導体パッケージ２の最外周角部に対応する配線電極１の電極４ａは、その外側端部を角の対角線上に出し、半導体パッケージ２の対向するそれぞれの辺の最外周の電極４ｃを、半導体パッケージ２の対向する辺のそれぞれの垂直方向の延長線上に引き出す。
【００４２】
この場合、最外周角部のはんだ接合部５ａは、角部の対角方向に長辺があるフィレット形状となり、それ以外の最外周のはんだ接合部は、半導体パッケージ２の対向する辺の垂直方向に長辺があるフィレット形状となる。
【００４３】
なお、最外周角部のはんだ接合部５ａは、角部の対角方向に長辺があるフィレット形状でなくとも良く、半導体パッケージ２の対向するどちらかの辺の垂直方向に長辺があるフィレット形状であっても良い。
【００４４】
図６において、フィレット形状となる半導体パッケージ２の最外周のはんだ接合５ａの組成は、それ以外のはんだ接続部５ｂよりもＢｉ、Ｉｎ、Ｓｂの少なくとも何れか一つの元素の濃度が高くなっている。
【００４５】
それ以外の構成については、実施例１の半導体装置と同様なのでその説明は省略する。
【実施例４】
【００４６】
図７、図８を参照して、実施例１の半導体装置を有する電子制御装置について説明する。
車載向けの電子機器においては、車室内空間確保の観点からも、その設置環境が車室内からエンジンルーム内へと変遷しており、より高温環境下での耐性が求められている。また、車両寿命の延伸から、電子機器においても長寿命化が求められている。
【００４７】
図７を参照して、実施例４の電子制御装置について説明する。  
図７に示すように、電子制御装置（ＥＣＵ）７０は、変換部７１、制御部７２、出力部７３を備えており、センサ部７４からの信号をモータ部７５に伝達する機能を備えている。電子制御装置７０の制御部７２に実施例１の半導体装置が搭載されている。
【００４８】
ここで、エンジンコントロールユニット（ｅｎｇｉｎｅ  ｃｏｎｔｒｏｌ  ｕｎｉｔ、ＥＣＵ）とは、エンジンの運転制御を電気的な補助装置を用いて行う際に、それらを総合的に制御するマイクロコントローラ（マイコン）である。
【００４９】
車載用途の電子制御装置７０は、環境温度にさらされ、高温環境と低温環境に繰り返す。車室内においても、エンジン停止中では５０℃近くに達し、また寒冷地においては氷点下にさらされる。エンジンルーム内に設置される電子制御装置７０においては、環境温度の最高が１００℃以上になる。
【００５０】
図８を参照して、電子制御装置７０に搭載された実施例１の半導体装置が、高温と低温が繰り返される環境に置かれた時の状態について説明する。  
主に有機基板が用いられる配線基板１と、配線基板１に搭載される半導体パッケージ２は、それぞれの線膨張係数が異なる。このため、高温と低温が繰り返される環境においてそれぞれの反り量が異なり、半導体パッケージ２の最外周角部のはんだ接合部５ａに大きな負荷がかかる。このため、最外周角部のはんだ接合部５ａの接続長が長いことは、はんだ接合部５ａのクラック進展及び破断までの熱疲労寿命に効果的である。
【符号の説明】
【００５１】
１  配線基板
２  半導体パッケージ
３  電極
４ａ  最外周角部電極
４ｂ  最外周角部以外の電極
５ａ  最外周角部のはんだ接合部
５ｂ  最外周角部以外のはんだ接合部
７０  電子制御装置
７１  変換部
７２  制御部
７３  出力部
７４  センサ部
７５  モータ部
【図１】
2019071345.tif 000003
【図２】
2019071345.tif 000004
【図３】
2019071345.tif 000005
【図４】
2019071345.tif 000006
【図５】
2019071345.tif 000007
【図６】
2019071345.tif 000008
【図７】
2019071345.tif 000009
【図８】
2019071345.tif 000010